(57)【要約】 【課題】  簡単な操作で動画データを作成することができ、この動画データをＤＶＤプレーヤーやビデオＣＤプレーヤー等の映像再生装置で再生することができる映像記録媒体作成方法及びこの映像記録媒体を使用した宣伝方法を提供する。【解決手段】  ベクター形式で動画データを作成する動画データ作成手段１と、該動画データを映像再生装置で再生可能なフォーマットの記録用動画データに変換する動画データ変換手段２と、該記録用動画データを映像記録媒体に記録する動画データ記録手段３とからなる映像記録媒体作成方法及びこの映像記録媒体を使用した宣伝方法。【選択図】    図１
2006023866.tif 000002
【特許請求の範囲】
【請求項１】
ベクター形式で動画データを作成する動画データ作成手段と、該動画データを映像再生装置で再生可能なフォーマットの記録用動画データに変換する動画データ変換手段と、該記録用動画データを映像記録媒体に記録する動画データ記録手段とからなる映像記録媒体作成方法。
【請求項２】
前記動画データ作成手段がフラッシュソフトで動画データを作成する手段からなる請求項１に記載の映像記録媒体作成方法。
【請求項３】
複数の動画データを編集する編集手段を備えた請求項１又は２に記載の映像記録媒体作成方法。
【請求項４】
前記映像記録媒体がＤＶＤである請求項１乃至３のいずれかに記載の映像記録媒体作成方法。
【請求項５】
請求項１乃至４のいずれかに記載の映像記録媒体作成方法により作成された映像記録媒体を映像再生装置で再生して行なう宣伝方法。
【発明の詳細な説明】
【技術分野】
【０００１】
本発明は、動画データを作成して記録媒体に記録する映像記録媒体作成方法及びこの映像記録媒体を使用した宣伝方法に関する。
【背景技術】
【０００２】
従来、宣伝のための映像としては、大掛かりな撮影装置により撮影したビデオを編集したものや、高価なアニメーションソフトにより作成したものが一般的に使用されている。これらの宣伝用映像の作成には、高度な技術が必要であり、時間とコストが掛かるという問題があった。
【０００３】
これに対して近年は、安価で操作の簡単なフラッシュ（Ｆｌａｓｈ：Ｍａｃｒｏｍｅｄｉａ社製）ソフトにより宣伝用の動画を作成し、この動画をＷｅｂ上で配信して行なう宣伝方法が普及してきている（例えば、特許文献１参照）。
【特許文献１】特開２００２−４９５５１号公報
【発明の開示】
【発明が解決しようとする課題】
【０００４】
フラッシュソフトで作成されるベクター形式の動画データは、ビットマップ形式の動画データに比べてデータサイズが小さいことから、Ｗｅｂ上での配信には適している。一方、ベクター形式の動画データの再生には、専用の再生ソフトをインストールしたパソコンが必要である他、パソコンの性能や画面解像度によって動画再生の速度が遅くなったりコマ落ちしたりするため、再生のための装置が限定されるという課題があった。
【０００５】
そこで、本発明は、簡単な操作で動画データを作成することができ、この動画データをＤＶＤプレーヤーやビデオＣＤプレーヤー等の映像再生装置で再生することができる映像記録媒体作成方法及びこの映像記録媒体を使用した宣伝方法を提供するものである。
【課題を解決するための手段】
【０００６】
本発明は、上記課題を解決するために、ベクター形式で動画データを作成する動画データ作成手段と、該動画データを映像再生装置で再生可能なフォーマットの記録用動画データに変換する動画データ変換手段と、該記録用動画データを映像記録媒体に記録する動画データ記録手段とからなる映像記録媒体作成方法を提供するものである。
【０００７】
また、本発明は、前記動画データ作成手段がフラッシュソフトで動画データを作成する手段からなる請求項１に記載の映像記録媒体作成方法を提供するものである。
【０００８】
また、本発明は、複数の動画データを編集する編集手段を備えた請求項１又は２に記載の映像記録媒体作成方法を提供するものである。
【０００９】
前記映像記録媒体がＤＶＤである請求項１乃至３のいずれかに記載の映像記録媒体作成方法を提供するものである。
【００１０】
また、本発明は、請求項１乃至４のいずれかに記載の映像記録媒体作成方法により作成された映像記録媒体を映像再生装置で再生して行なう宣伝方法を提供するものである。
【発明の効果】
【００１１】
本発明に係る映像記録媒体作成方法によれば、ベクター形式で動画データを作成する動画データ作成手段と、該動画データを映像再生装置で再生可能なフォーマットの記録用動画データに変換する動画データ変換手段と、該記録用動画データを映像記録媒体に記録する動画データ記録手段とからなる構成を有することにより、ベクター形式で動画データを簡単且つ短時間に作成することができると共に、映像記録媒体に記録した動画データをＤＶＤプレーヤーやビデオＣＤプレーヤー等の映像再生装置で再生することができるから、再生環境による再生速度の低下やコマ落ちを阻止することができる効果がある。
【００１２】
また、本発明は、前記動画データ作成手段がフラッシュソフトで動画データを作成する手段からなる請求項１に記載の構成を有することにより、ベクター形式の動画データと音声を組み合わせたコンテンツを簡単な操作で短時間に作成することができ、動画データ作成のコストを低減することができる効果がある。
【００１３】
また、本発明は、複数の動画データを編集する編集手段を備えた請求項１又は２に記載の構成を有することにより、複数の動画データをまとめて映像記録媒体に記録することができる効果がある。
【００１４】
前記映像記録媒体がＤＶＤである請求項１乃至３のいずれかに記載の構成を有することにより、小型軽量で繰り返し再生に強く、動画データをリピート再生したり迅速に頭出ししたりすることができる効果がある。
【００１５】
また、本発明に係る宣伝方法によれば、請求項１乃至４のいずれかに記載の映像記録媒体作成方法により作成された映像記録媒体を映像再生装置で再生して行なう構成を有することにより、簡単且つ短時間に宣伝用の動画データを作成することができ、映像再生装置によって動画データを再生して宣伝を行なうから、宣伝コストを低減することができる効果がある。
【発明を実施するための最良の形態】
【００１６】
本発明の実施の形態を図示する実施例に基づいて説明する。
本発明に係る映像記録媒体作成方法は、ベクター形式で動画データを作成する動画データ作成手段１と、該動画データを映像再生装置で再生可能なフォーマットの記録用動画データに変換する動画データ変換手段２と、該記録用動画データを映像記録媒体に記録する動画データ記録手段３とからなる。
【実施例１】
【００１７】
図１に示す実施例において、動画データ作成手段１は、フラッシュ（Ｆｌａｓｈ：Ｍａｃｒｏｍｅｄｉａ社製）ソフトを組み込んだパソコンでベクター形式の動画データを作成する手段（ＳＴＥＰ１１）からなる。このとき、動画データに音声を組み合わせることも可能である。なお、動画データを作成するソフトは、フラッシュソフトに限定されず、ベクター形式の動画データを作成することができる他のソフトを使用することもできる。
【００１８】
図１に示す実施例において、動画データ変換手段２は、ビットマップ形式に動画データを変換する手段（ＳＴＥＰ２１）と、この動画データを編集する手段（ＳＴＥＰ２２）と、編集した動画データをＭＰＥＧ２フォーマットで圧縮する手段（ＳＴＥＰ２３）とからなる。図示の実施例では、映像記録媒体としてＤＶＤを使用しているが、ビデオＣＤ等の他の影像記録媒体を使用することも可能である。
【００１９】
ＳＴＥＰ２１では、フラッシュソフトにおいて、ＳＴＥＰ１１で作成したベクター形式の動画データをｍｏｖ形式やＡＶＩ形式等のビットマップ形式に変換して出力する。なお、ＳＴＥＰ２２でベクター形式の動画データを編集することが可能な場合には、ベクター形式の動画データを編集した後にビットマップ形式に変換することもできる。
【００２０】
ＳＴＥＰ２２では、ＤＶＤオーサリングソフトを使用して、ビットマップ形式で出力された複数の動画データを編集して一本の動画データにまとめたり、再生の順序やリピート再生等の再生方法を指定したりすることができる。なお、一つの動画データで再生方法の指定が不要な場合には、ＳＴＥＰ２２を省略することも可能である。
【００２１】
ＳＴＥＰ２３では、編集した動画データをＭＰＥＧ２フォーマットで圧縮して、映像再生装置であるＤＶＤプレーヤー４で再生可能なフォーマットに変換する。なお、映像記録媒体にビデオＣＤを使用する場合は、動画データをＭＰＥＧ１フォーマットで圧縮することにより、ビデオＣＤプレーヤーで再生可能なフォーマットに変換することができる。
【００２２】
動画データ記録手段３は、パソコンに備えたＤＶＤ書き込み装置により、ＳＴＥＰ２３で変換した動画データをＤＶＤに書き込んで映像記録媒体を作成する。また、映像記録媒体は、ＤＶＤプレスにより作成することも可能である。
【００２３】
次に、上記ＤＶＤをＤＶＤプレーヤーで再生して行なう宣伝方法を、図２に基づいて説明する。
図２において、５はプロジェクターであり、６は店頭に設置した透過式のスクリーンである。プロジェクター５には、ＤＶＤプレーヤー４を接続してあり、上記映像記録媒体作成方法により作成したＤＶＤを再生して、映像をスクリーン６の裏側から投影することができるようにしてある。これにより、ＳＴＥＰ２２で指定した再生順序に従って動画データを再生して宣伝を行なうことができる。なお、ＤＶＤプレーヤーに代えてＤＶＤの読み込み可能なパソコンをプロジェクター５に接続することも可能である。
また、宣伝用のダイレクトメール等に、上記ＤＶＤを添付して宣伝を行なうことも可能である。
【図面の簡単な説明】
【００２４】
【図１】本発明映像記録媒体作成方法の一実施例を示すフローチャート。
【図２】本発明宣伝方法の一実施例を示す構成図。
【符号の説明】
【００２５】
１  動画データ作成手段
２  動画データ変換手段
３  動画データ記録手段
４  ＤＶＤプレーヤー
５  プロジェクター
６  スクリーン
【図１】
2006023866.tif 000003
【図２】
2006023866.tif 000004